(57)【要約】【課題】預金通帳や磁気カードを自己の業務において取り扱う企業が配布元として配布される商品を包装する商品包装用台紙において、来店客や来店客以外の消費者により強い印象を与えることができる商品包装用台紙を提供する。【解決手段】商品包装用台紙１は一方の辺に沿った折り目を基準に重ね合わせ自在な第１の台紙片２及び第２の台紙片３と、第１の台紙片２の他方の辺に沿った折り目を基準に第１の台紙片２と重ね合わせ自在な第３の台紙片４とを備える。第１の台紙片２と第２の台紙片３のうち何れかの表面（２ａ，３ａ）には、預金通帳或いは磁気カードを自己の業務において取り扱う所定の企業と関連付けられた図柄が全面に施されており、所定の企業と関連付けられた図柄は、所定の企業が取り扱う預金通帳の表紙を模した図柄、所定の企業が発行する磁気カードの表面を模した図柄のうちの何れかである。【選択図】図１
0003208375.tif 000002
【実用新案登録請求の範囲】
【請求項１】
一方の辺に沿った折り目を基準に重ね合わせ自在な第１の台紙片及び第２の台紙片と、
前記第１の台紙片の他方の辺に沿った折り目を基準に前記第１の台紙片と重ね合わせ自在な第３の台紙片とを備え、
前記第１の台紙片と前記第３の台紙片を重ね合わせることで商品を挟持し、さらに前記第３の台紙片を介在させて前記第１の台紙片の裏面と前記第２の台紙片の裏面を重ね合わせることで前記商品を包装し、
前記第１の台紙片と前記第２の台紙片のうち何れかの表面には、預金通帳或いは磁気カードを自己の業務において取り扱う所定の企業と関連付けられた図柄が全面に施されており、
前記所定の企業と関連付けられた図柄は、前記所定の企業が取り扱う預金通帳の表紙を模した図柄、前記所定の企業が発行する磁気カードの表面を模した図柄のうちの何れかであることを特徴とする商品包装用台紙。
【考案の詳細な説明】
【技術分野】
【０００１】
本考案は、商品を包装する商品包装用台紙に関するものである。
【背景技術】
【０００２】
消費者が商品を購入し、或いは役務の提供を受けた際に配布される物として、配布元の宣伝広告を目的とした配布物、いわゆるノベルティ商品が知られている。ノベルティ商品に用いられる商品包装用台紙としては、例えばブックマッチと呼ばれるマッチを収納したマッチケースがある（例えば特許文献１を参照）。
【先行技術文献】
【特許文献】
【０００３】
【特許文献１】登録実用新案第３０２２０３９号公報
【考案の概要】
【考案が解決しようとする課題】
【０００４】
ところで、ノベルティ商品は銀行、証券会社、保険会社など、預金通帳やクレジットカード及びキャッシュカードをはじめとする磁気カードを自己の業務において取り扱う企業においても宣伝広告を目的として活用されており、来店した客に配布され、或いは街頭で消費者に配布されている。しかしながら、例えば上記従来のマッチケースをはじめとする商品包装用台紙の表紙に企業名を印字しただけでは、その他の業種との間で宣伝広告の手法に大きな差異がなく平凡であり、来店客や街頭の消費者（以下「来店客等」と称する。）に対して強い印象を与えることはできなかった。このように、預金通帳や磁気カードを自己の業務において取り扱う企業が配布元として配布される商品（ノベルティ商品を含む商品全般）においては、その商品を包装する商品包装用台紙において更なる改善の余地があった。
【課題を解決するための手段】
【０００５】
そこで本考案は、預金通帳或いは磁気カードを自己の業務において取り扱う企業が配布元として配布される商品を包装する商品包装用台紙において、来店客等により強い印象を与えることができる商品包装用台紙を提供することを目的とする。
【０００６】
本考案の商品包装用台紙は、一方の辺に沿った折り目を基準に重ね合わせ自在な第１の台紙片及び第２の台紙片と、前記第１の台紙片の他方の辺に沿った折り目を基準に前記第１の台紙片と重ね合わせ自在な第３の台紙片とを備え、前記第１の台紙片と前記第３の台紙片を重ね合わせることで商品を挟持し、さらに前記第３の台紙片を介在させて前記第１の台紙片の裏面と前記第２の台紙片の裏面を重ね合わせることで前記商品を包装し、前記第１の台紙片と前記第２の台紙片のうち何れかの表面には、預金通帳或いは磁気カードを自己の業務において取り扱う所定の企業と関連付けられた図柄が全面に施されており、前記所定の企業と関連付けられた図柄は、前記所定の企業が取り扱う預金通帳の表紙を模した図柄、前記所定の企業が発行する磁気カードの表面を模した図柄のうちの何れかである。
【考案の効果】
【０００７】
本考案によれば、預金通帳或いは磁気カードを自己の業務において取り扱う企業が配布元として配布される商品を包装する商品包装用台紙において、来店客等により強い印象を与えることができる。
【図面の簡単な説明】
【０００８】
【図１】（ａ）（ｂ）本考案の一実施の形態における商品包装用台紙の展開図
【図２】（ａ）（ｂ）本考案の一実施の形態における商品包装台紙の使用例を示す図
【図３】本考案の一実施の形態における商品包装台紙の使用例を示す図
【考案を実施するための形態】
【０００９】
まず図１（ａ），（ｂ）を参照して、本考案の一実施の形態における包装用台紙の構成について説明する。商品包装用台紙１は商品を包装するためのものであり、第１の台紙片２、第２の台紙片３、第３の台紙片４を含む複数の台紙片によって構成される。第１の台紙片２は第２の台紙片３、第３の台紙片４と連結されている。商品としては、例えば包装された絆創膏、綿棒のような小物が挙げられ、有償無償を問わない。本実施の形態では、商品として、包装紙と当該包装紙に包装された絆創膏とで構成される衛生材料５（図２）を例示する。
【００１０】
第１の台紙片２と第２の台紙片３は矩形であり、直交する各辺の長さ寸法が異なるように成形されている。第１の台紙片２と第２の台紙片３のサイズは略同一であり、一方の辺である長辺側が互いに連結されている。第１の台紙片２と第２の台紙片３は、その境界である折り目Ａに沿って重ね合わせることができる。すなわち、第１の台紙片２及び第２の台紙片３は、一方の辺に沿った折り目Ａを基準に重ね合わせ自在となっている。
【００１１】
第３の台紙片４は略台形であり、長辺側が第１の台紙片２の他方の辺である短辺側と連結されている。第３の台紙片４の短辺は、第１の台紙片２の長辺よりも長さ寸法が小さく設定されている。第１の台紙片２と第３の台紙片４は、その境界である折り目Ｂに沿って重ね合わせることができる。すなわち、第３の台紙片４は、第１の台紙片２の他方の辺（ここでは第２の台紙片３と連結していない短辺）に沿った折り目Ｂを基準に第１の台紙片２と重ね合わせ自在となっている。
【００１２】
第１の台紙片２における対角線上の各コーナ部には、長辺及び短辺に対して斜め方向に伸びたスリット６が形成されている。スリット６に衛生材料５の一部を挿入させることで、衛生材料５が第１の台紙片２に保持される（図２）。なお、スリット６は任意であり、包装される商品によっては形成しなくてもよい。
【００１３】
第１の台紙片２の表面２ａ及び第２の台紙片３の表面３ａは、広告主である配布元の広告（宣伝）情報を表示するための広告情報表示部となっている。本実施の形態における配布元は、顧客の預金通帳、或いはクレジットカード、キャッシュカードをはじめとする磁気カードを自己の業務において取り扱う企業（銀行、証券会社、保険会社等）である。例えば、第２の台紙片３の表面３ａには、広告宣伝情報として上述した所定の企業が取り扱う預金通帳の表紙を模した図柄が全面に施される。また、第１の台紙片２の表面２ａには同じく広告宣伝情報として当該企業が取り扱う預金通帳の裏紙（実際の預金通帳の表紙と反対側にある紙（裏紙））を模した図柄が全面に施される。
【００１４】
なお、第１の台紙片２の表面２ａに預金通帳の表紙を模した図柄を施し、第２の台紙片３の表面３ａに預金通帳の裏紙を模した図柄を施してもよい。しかしながら、預金通帳の表紙を模した図柄は、スリット６が形成されていない台紙片に施した方が審美性の観点から望ましい。また、預金通帳の表紙及び裏紙を模した図柄が施されたシール部材を個別に用意し、当該シール部材を第１の台紙片２及び第２の台紙片３にそれぞれ貼り付けてもよい。さらに、預金通帳の表紙に替えて、磁気カードの表面を模した図柄を第１の台紙片２の表面２ａ又は第２の台紙片３の表面３ａの全面に施してもよい。
【００１５】
本実施の形態における商品包装用台紙１は以上のように構成される。次に図２及び図３を参照して、商品包装用台紙１の使用例を説明する。まず図２（ａ）に示すように、図示しない作業者は複数の衛生材料５が連結された商品群を第１の台紙片２に保持させる。より具体的には、作業者は両側に位置する衛生材料５の一のコーナ部近傍をスリット６に挿入する。
【００１６】
次いで図２（ｂ）に示すように、作業者は折り目Ｂに沿って商品包装用台紙１を折り曲げ（矢印ａ）、第１の台紙片２と第３の台紙片４を重ね合わせる。これにより、商品群の一端側（紙面右側）が第１の台紙片２と第３の台紙片４によって挟持される。この後さらに、第１の台紙片２、衛生材料５、第３の台紙片４をホチキス針（ステープラ用つづり針）によって留めてもよい。
【００１７】
次いで図２（ｂ）及び図３に示すように、作業者は折り目Ａに沿って商品包装用台紙１を折り曲げ（矢印ｂ）、第３の台紙片４を介在させながら第１の台紙片２の裏面２ｂと第２の台紙片３の裏面３ｂを重ね合わせる。すなわち、第１の台紙片２と第３の台紙片４を重ね合わせることで商品を挟持し、さらに第３の台紙片４を介在させて第１の台紙片２の裏面２ｂと第２の台紙片３の裏面３ｂを重ね合わせることで商品を包装する。これにより、来店客等に配布する配布物が完成する。
【００１８】
なお、第３の台紙片４の短辺は、第１の台紙片２の長辺よりも長さ寸法が小さいため、第１の台紙片２と第２の台紙片３を重ね合わせたとき、これらの台紙片によって第３の台紙片４が視認されない（図３）。
【００１９】
以上説明したように、本実施の形態における商品包装用台紙１は、一方の辺に沿った折り目Ａを基準に重ね合わせ自在な第１の台紙片２及び第２の台紙片３と、第１の台紙片２の他方の辺に沿った折り目Ｂを基準に第１の台紙片２と重ね合わせ自在な第３の台紙片４とを備え、第１の台紙片２と第３の台紙片４を重ね合わせることで商品を挟持し、さらに第３の台紙片４を介在させて第１の台紙片２の裏面２ｂと第２の台紙片３の裏面３ｂを重ね合わせることで商品を包装し、第１の台紙片２と第２の台紙片３のうち何れかの表面（２ａ，３ａ）には、預金通帳或いは磁気カードを自己の業務において取り扱う所定の企業と関連付けられた図柄が全面に施されており、所定の企業と関連付けられた図柄は、所定の企業が取り扱う預金通帳の表紙を模した図柄、所定の企業が発行する磁気カードの表面を模した図柄のうちの何れかである。このような構成を有する商品包装用台紙１によれば、次のような効果を得ることができる。
【００２０】
すなわち、預金通帳や磁気カードは一般的に縦横の長さ寸法が異なる矩形となっている。そのため、第３の台紙片４を介在させて第１の台紙片２の裏面２ｂと第２の台紙片３の裏面３ｂを重ね合わせた形態の商品包装用台紙１から成る配布物は、サイズを除き外観が預金通帳や磁気カードと殆ど同じになる。したがって、来店客等は一見して配布物を預金通帳や磁気カードと錯誤することで強い印象を受け、さらには興趣を覚え、結果として高い宣伝効果が期待できる。また、配布物に優れた審美性を与えることで物的価値を高め、来店客等に更なる注意喚起を促すことができる。
【００２１】
本実施の形態における商品包装用台紙１はこれまで説明した実施の形態に限定されず、考案の趣旨を逸脱しない範囲で変更することができる。例えば、預金通帳の表面及び裏面を模した図柄を施す態様は任意であり、第１の台紙片２の表面２ａと第２の台紙片３の表面３ａの何れにも預金通帳の表面を模した図柄を施してもよい（磁気カードも同様である）。また、第１の台紙片２の表面２ａと第２の台紙片３の表面３ａの何れかは図柄を施さないようにしてもよい。また、第３の台紙片４は第１の台紙片２の長辺側（但し第２の台紙片３と接続されていない側の長辺）と連結させてもよい。さらに、第１の台紙片２と第２の台紙片３のうち何れかの表面（２ａ，３ａ）の全面に施す図柄として、所定の企業が自己の業務において取り扱うキャラクターを模した図柄を施してもよい。
【産業上の利用可能性】
【００２２】
本考案によれば、来店客等により強い印象を与えることができ、広告業界や印刷業界において有用である。
【符号の説明】
【００２３】
１  商品包装用台紙
２  第１の台紙片
２ａ  表面
２ｂ  裏面
３  第２の台紙片
３ａ  表面
３ｂ  裏面
５  衛生材料（商品）
４  第３の台紙片
Ａ，Ｂ  折り目
【図１】
0003208375.tif 000003
【図２】
0003208375.tif 000004
【図３】
0003208375.tif 000005